(57)【要約】【課題】販売された密閉ガラス容器でも、直ちに捨てられることなく、ガラスコップとして使用できて、資源の有効利用ができ、その上、需要者にガラスコップを安価に入手できることを目的とする。【解決手段】端壁部の壁厚が一様肉厚の上拡り筒体あるいは円筒体のガラスコップの上端面に接着剤を塗布し、円盤状の樹脂キャップの底面に環状溝を刻設し、前記環状溝底に接着剤を塗布した樹脂キャップの環状溝をガラスコップの端壁部に嵌め、前記ガラスコップと樹脂キャップとをフィルムで覆わせてなる密閉ガラスコップとした。【選択図】　図７
0003096918.tif 000002
【実用新案登録請求の範囲】
【請求項１】
端壁部の壁厚が一様肉厚の上拡り筒体あるいは円筒体のガラスコップの上端面に接着剤を塗布し、円盤状の樹脂キャップの底面に環状溝を刻設し、前記環状溝底に接着剤を塗布した樹脂キャップの環状溝をガラスコップの端壁部に嵌め、前記ガラスコップと樹脂キャップとをフィルムで覆わせてなる密閉ガラスコップ。
【請求項２】
端壁部の壁厚が一様肉厚の上拡り筒体あるいは円筒体のガラスコップの上端面に接着剤を塗布し、円盤状の樹脂キャップの底面に環状溝を刻設し、前記環状溝底に接着剤を塗布した樹脂キャップの環状溝をガラスコップの端壁部に嵌め、前記ガラスコップと樹脂キャップとを真空パックによりフィルムで覆わせてなる密閉ガラスコップ。
【請求項３】
端壁部の壁厚が一様肉厚の上拡り筒体あるいは円筒体のガラスコップの開口をシールで覆わせ、円盤状のシールで覆わせたガラスコップの開口部に樹脂キャップを嵌め、前記ガラスコップと樹脂キャップとをフィルムで覆わせてなる密閉ガラスコップ。
【請求項４】
端壁部の壁厚が一様肉厚の上拡り筒体あるいは円筒体のガラスコップの開口をシールで覆わせ、円盤状のシールで覆わせたガラスコップの開口部に樹脂キャップを嵌め、前記ガラスコップと樹脂キャップとを真空パックによりフィルムで覆わせてなる密閉ガラスコップ。
【考案の詳細な説明】
【０００１】
【考案の属する技術分野】
本考案は、酒、ジャム、ケチャップ、マヨネーズ、蜂蜜、野菜、果実の酢漬けあるいはオイル漬け（梅漬け、ホールトマト、ピクルス）等の飲食物を収容する密閉ガラスコップに関する。
【０００２】
【従来の技術】
従来の日本酒や果実飲料等を収容する密閉ガラス容器は、図８に示すように、開口部の外面に外向き環状突起の口部リップ１０１が形成してあって、開口を覆わせるキャップの側壁部を口部リップ１０１に係合させている。
【０００３】
【特許文献】
実開平０５−０７１１１８号
【０００４】
【考案が解決しようとする課題】
従来の密閉ガラス容器は、酒、ジャム、ケチャップ、マヨネーズ、蜂蜜、野菜、果実の酢漬けあるいはオイル漬け（梅漬け、ホールトマト、ピクルス）等の飲食物を収容して販売しているが、口部リップがあってスマートさがなく、使用後に一般的なガラスコップとして使用されることなく直ちに捨てられる。
【０００５】
本考案では、販売された密閉ガラス容器でも、直ちに捨てられることなく、ガラスコップとして使用できて、資源の有効利用ができ、その上、需要者にガラスコップを安価に入手できるようにしようとするものである。
【０００６】
【課題を解決するための手段】
そこで、本考案は、上記の事情に鑑み、販売された密閉ガラス容器でも、直ちに捨てられることなく、ガラスコップとして使用できて、資源の有効利用ができ、その上、需要者にガラスコップを安価に入手できるようにすべく、端壁部の壁厚が一様肉厚の上拡り筒体あるいは円筒体のガラスコップの上端面に接着剤を塗布し、円盤状の樹脂キャップの底面に環状溝を刻設し、前記環状溝底に接着剤を塗布した樹脂キャップの環状溝をガラスコップの端壁部に嵌め、前記ガラスコップと樹脂キャップとをフィルムで覆わせてなる密閉ガラスコップとした。
【０００７】
また、本考案は、販売された密閉ガラス容器でも、直ちに捨てられることなく、ガラスコップとして使用できて、資源の有効利用ができ、その上、需要者にガラスコップを安価に入手できるようにすべく、端壁部の壁厚が一様肉厚の上拡り筒体あるいは円筒体のガラスコップの上端面に接着剤を塗布し、円盤状の樹脂キャップの底面に環状溝を刻設し、前記環状溝底に接着剤を塗布した樹脂キャップの環状溝をガラスコップの端壁部に嵌め、前記ガラスコップと樹脂キャップとを真空パックによりフィルムで覆わせてなる密閉ガラスコップとした。
【０００８】
さらに、本考案は、販売された密閉ガラス容器でも、直ちに捨てられることなく、ガラスコップとして使用できて、資源の有効利用ができ、その上、需要者にガラスコップを安価に入手できるようにすべく、端壁部の壁厚が一様肉厚の上拡り筒体あるいは円筒体のガラスコップの開口をシールで覆わせ、円盤状のシールで覆わせたガラスコップの開口部に樹脂キャップを嵌め、前記ガラスコップと樹脂キャップとをフィルムで覆わせてなる密閉ガラスコップとした。
【０００９】
さらにまた、本考案は、販売された密閉ガラス容器でも、直ちに捨てられることなく、ガラスコップとして使用できて、資源の有効利用ができ、その上、需要者にガラスコップを安価に入手できるようにすべく、端壁部の壁厚が一様肉厚の上拡り筒体あるいは円筒体のガラスコップの開口をシールで覆わせ、円盤状のシールで覆わせたガラスコップの開口部に樹脂キャップを嵌め、前記ガラスコップと樹脂キャップとを真空パックによりフィルムで覆わせてなる密閉ガラスコップとした。
【００１０】
【発明の実施の態様】
本考案を添付する図面の具体的な実施例に基づいて、以下詳細に説明する。
【００１１】
本考案で使用するガラスコップは、図１に示すように、開口部の外面に口部リップのない、「端壁部の壁厚が一様肉厚」のものである。「端壁部の壁厚が一様肉厚」とは口部リップがないことを意味する。口部リップがなければスマートさがある。ただ、キャップの側壁を係合させる部分がないので、キャップの密閉に工夫を施している。
【００１２】
一般的にガラスコップとして使用できるため、本考案で使用するガラスコップは、上方に行くに従って断面積が大きくなる上拡り筒体、あるいは円筒体のものである。本実施例の図面は、全て上拡り筒体で示している。
【００１３】
図１は、上拡り筒体のガラスコップ１の例である。もちろん上拡り筒体、円筒体の若干の変形したものも本考案の範囲内に入る。
【００１４】
図２では、ガラスコップ１の上端面に接着剤２を塗布し、円盤状の樹脂キャップ３の底面に環状溝４を刻設し、前記環状溝４底に接着剤５を塗布した樹脂キャップ３を示す。
【００１５】
接着剤２・５は、食品衛生法で使用が認められたもので、且つ、容易に洗い流せるものを使用する。
【００１６】
図３では、前記の樹脂キャップ３の環状溝４を、ガラスコップ１の端壁部６に嵌められた状態を示す。
【００１７】
図４では、前記ガラスコップ１と樹脂キャップ３の全体をフィルム７で覆わせた状態の模式図である。単に覆わせる場合と真空パックにより覆わせる場合とがある。フィルム７には図示してないが、いいイメージを与える図柄等を印刷しておく。
【００１８】
図５〜図８により請求項３・４の考案を説明する。
【００１９】
図５では、ガラスコップ１の開口を円盤状のシール９で覆わせた状態を示す。
【００２０】
図６は、円盤状のシール９で覆わせたガラスコップ１の開口部に樹脂キャップ８を嵌めた状態である。
【００２１】
図７では、前記ガラスコップ１と樹脂キャップ８の全体をフィルム７で覆わせた状態の模式図である。単に覆わせる場合と真空パックにより覆わせた場合とがある。フィルム７には図示してないが、いいイメージを与える図柄等を印刷しておく。
【００２２】
【考案の効果】
本考案は、端壁部の壁厚が一様肉厚の上拡り筒体あるいは円筒体のガラスコップの上端面に接着剤を塗布し、円盤状の樹脂キャップの底面に環状溝を刻設し、前記環状溝底に接着剤を塗布した樹脂キャップの環状溝をガラスコップの端壁部に嵌め、前記ガラスコップと樹脂キャップとをフィルムで覆わせてなる密閉ガラスコップであるので、販売された密閉ガラス容器でも、直ちに捨てられることなく、ガラスコップとして使用できて、資源の有効利用ができ、その上、需要者にガラスコップを安価に入手できる。
【００２３】
また、本考案は、端壁部の壁厚が一様肉厚の上拡り筒体あるいは円筒体のガラスコップの上端面に接着剤を塗布し、円盤状の樹脂キャップの底面に環状溝を刻設し、前記環状溝底に接着剤を塗布した樹脂キャップの環状溝をガラスコップの端壁部に嵌め、前記ガラスコップと樹脂キャップとを真空パックによりフィルムで覆わせてなる密閉ガラスコップであるので、販売された密閉ガラス容器でも、直ちに捨てられることなく、ガラスコップとして使用できて、資源の有効利用ができ、その上、需要者にガラスコップを安価に入手できる。
【００２４】
さらに、本考案は、端壁部の壁厚が一様肉厚の上拡り筒体あるいは円筒体のガラスコップの開口をシールで覆わせ、円盤状のシールで覆わせたガラスコップの開口部に樹脂キャップを嵌め、前記ガラスコップと樹脂キャップとをフィルムで覆わせてなる密閉ガラスコップであるので、販売された密閉ガラス容器でも、直ちに捨てられることなく、ガラスコップとして使用できて、資源の有効利用ができ、その上、需要者にガラスコップを安価に入手できる。
【００２５】
さらにまた、本考案は、端壁部の壁厚が一様肉厚の上拡り筒体あるいは円筒体のガラスコップの開口をシールで覆わせ、円盤状のシールで覆わせたガラスコップの開口部に樹脂キャップを嵌め、前記ガラスコップと樹脂キャップとを真空パックによりフィルムで覆わせてなる密閉ガラスコップであるので、販売された密閉ガラス容器でも、直ちに捨てられることなく、ガラスコップとして使用できて、資源の有効利用ができ、その上、需要者にガラスコップを安価に入手できる。
【図面の簡単な説明】
【図１】図１は、上拡り筒体のガラスコップの一部を断面した正面図である。
【図２】ガラスコップの上端面に接着剤を塗布し、円盤状の樹脂キャップの底面に環状溝を刻設し、前記環状溝底に接着剤を塗布した樹脂キャップを示す、一部を断面した正面図である。
【図３】図３は、樹脂キャップの環状溝をガラスコップの端壁部に嵌めた状態を示す、一部を断面した正面図である。
【図４】図４は、ガラスコップと樹脂キャップの全体をフィルムで覆わせた状態の模式図である。
【図５】図５は、ガラスコップの開口を円盤状のシールで覆わせた状態の一部を断面した正面図である。
【図６】図６は、円盤状のシールで覆わせたガラスコップの開口部に樹脂キャップを嵌めた状態の一部を断面した正面図である。
【図７】ガラスコップと樹脂キャップの全体をフィルムで覆わせた状態の模式図である。
【図８】従来のガラス容器の正面図である。
【符号の説明】
１…ガラスコップ
２…樹脂接着剤
３…キャップ
４…環状溝
５…接着剤
６…端壁部
７…フィルム
９…シール
８…樹脂キャップ
【図１】
0003096918.tif 000003
【図２】
0003096918.tif 000004
【図３】
0003096918.tif 000005
【図４】
0003096918.tif 000006
【図５】
0003096918.tif 000007
【図６】
0003096918.tif 000008
【図７】
0003096918.tif 000009
【図８】
0003096918.tif 000010